(57)【要約】【課題】表示装置のデータドライバ回路と駆動方法が提供される。【解決手段】表示装置のデータドライバは、ゼロ階調レベルでない値に相応するＬ個の階調基準電流を発生させる基準電流発生部と、ガンマ信号に応答して前記Ｌ個の階調基準電流からＭ個のガンマ基準電流を選択するガンマ選択モジュールと、ゼロ階調レベルガンマ基準電圧を発生させるガンマ電圧発生部、及びカラー信号に応答してＭ個のガンマ基準電流から選択された一つのデータ電流発生部を含むことを特徴とする。【選択図】図３
2007052414.tif 000002
【特許請求の範囲】
【請求項１】
ゼロ階調レベルでない値に相応するＬ個の階調基準電流を発生させる段階と、
ガンマ信号に応答して前記Ｌ個の階調基準電流からＭ個のガンマ基準電流を選択する段階と、
ゼロ階調レベルガンマ基準電圧を発生する段階と、
カラー信号に応答して、前記Ｍ個の階調基準電流から一つを選択するかまたは前記ゼロレベルガンマ基準電圧を選択する段階と、
前記選択されたＭ個の階調基準電流から一つまたはゼロ階調レベルガンマ基準電圧に応答してデータ電流を発生させる段階と、を含むことを特徴とする表示装置のデータドライバの駆動方法。
【請求項２】
前記Ｍ個のガンマ基準電流を選択する段階は、
ガンマ電流選択信号を発生させるために、前記ガンマ信号をデコーディングする段階と、
前記ガンマ電流選択信号に応答して前記Ｍ個のガンマ基準電流をそれぞれ選択するＭ個のガンマ選択スイッチを駆動する段階と、を含むことを特徴とする請求項１記載の表示装置のデータドライバ駆動方法。
【請求項３】
前記Ｌ個の階調基準電流を発生させる段階は、
Ｌ個の互いに異なる幅を有するトランジスタで構成された電流ミラーを用いることを特徴とする請求項１記載の表示装置のドライバ駆動方法。
【請求項４】
前記Ｍ個の階調基準電流から一つを選択するかまたはゼロ階調レベルガンマ基準電圧を選択する段階は、
前記Ｍ個のガンマ基準電流それぞれに基づいてＭ個の付加ガンマ基準電圧を発生させる段階と、
前記カラー信号に応答して前記Ｍ＋１個のガンマ基準電圧から一つを選択する段階を含み、
前記データ電流を発生させる段階は、
前記選択されたＭ＋１個のガンマ基準電圧のうち、いずれか一つに応答して前記データ電流を発生させることを特徴とする請求項１記載の表示装置のデータドライバ駆動方法。
【請求項５】
前記Ｍ＋１個のガンマ基準電圧から一つを選択する段階は、
ガンマ基準電圧選択信号を発生させるために前記カラー信号をデコーティングする段階と、
前記選択されたＭ＋１個のガンマ基準電圧から一つを出力ノードに連結させるために、前記ガンマ基準電圧選択信号に応答して前記Ｍ＋１個のガンマ基準電圧とそれぞれ相応するＭ＋１個のスイッチのうち、いずれか一つを駆動させる段階と、を含むことを特徴とする請求項４記載の表示装置のデータドライバ駆動方法。
【請求項６】
前記データ電流を発生させる段階は、
前記選択されたＭ＋１個のガンマ基準電圧から一つを用いて、前記出力ノードに連結されたデータ電流トランジスタを駆動させる段階を含むことを特徴とする請求項５記載の表示装置のデータドライバ駆動方法。
【請求項７】
クランプ回路を用いて前記データ電流を制限する段階を更に含むことを特徴とする請求項６記載の表示装置のデータドライバ駆動方法。
【請求項８】
前記Ｍ個のガンマ基準電流のそれぞれに基づいてＭ個の付加ガンマ基準電圧を発生させる段階は、
前記Ｍ個のガンマ基準電流のそれぞれに応答して前記Ｍ個のガンマ基準電圧を追加発生させるためにＭ個の電流−電圧変換回路を用いる段階と、を含むことを特徴とする請求項４記載のデータドライバ駆動方法。
【請求項９】
ゼロ階調レベルでない値に相応するＬ個の階調基準電流を発生させる段階と、
ガンマ信号に応答して前記Ｌ個の階調基準電流からＭ個のガンマ基準電流を選択する段階と、
ゼロ階調レベルガンマ基準電圧を発生する段階と、
複数のデータラインのそれぞれに対して、カラー信号に応答して前記Ｍ個のガンマ基準電流から一つを選択するかまたは前記ゼロ階調レベルガンマ基準電圧を選択する段階と、
前記複数のデータラインのそれぞれに対して、前記選択されたＭ個のガンマ基準電流から一つまたは前記ゼロ階調レベルガンマ基準電圧に応答してデータ電流を発生させる段階と、
前記複数のデータラインからの一つと複数のスキャンラインからの一つによってそれぞれ決定される複数の画素を選択するために前記複数のスキャンラインを駆動する段階と、を含むことを特徴とする表示装置のデータドライバ駆動方法。
【請求項１０】
Ｌ個の階調基準電流を発生させる段階と、
ガンマ信号に応答して前記Ｌ個の階調基準電流からＭ個ガンマ基準電流を選択する段階と、
カラー信号に応答して前記Ｍ個の階調基準電流から一つを選択する段階と、
前記選択されたＭ個の階調基準電流のうち、いずれか一つに応答してデータ電流を発生させる段階と、を含むことを特徴とする表示装置のデータドライバ駆動方法。
【請求項１１】
前記Ｍ個のガンマ基準電流を選択する段階は、
ガンマ電流選択信号を発生させるために、前記ガンマ信号をデコーディングする段階と、
前記ガンマ電流選択信号に応答して前記Ｍ個のガンマ基準電流をそれぞれ選択するＭ個のガンマ選択スイッチを駆動する段階と、を含むことを特徴とする請求項１０記載の表示装置のデータドライバ駆動方法。
【請求項１２】
前記Ｌ個の階調基準電流を発生させる段階は、
Ｌ個の互いに異なる幅を有するトランジスタで構成された電流ミラーを用いる段階を含むことを特徴とする請求項１０記載の表示装置のデータドライバ駆動方法。
【請求項１３】
前記Ｍ個の階調基準電流から一つを選択する段階は、
前記Ｍ個のガンマ基準電流それぞれに基づいてＭ個のガンマ基準電圧を発生させる段階と、
前記カラー信号に応答して前記Ｍ個のガンマ基準電圧から一つを選択する段階を含み、
前記データ電流を発生させる段階は、
前記選択されたＭ個のガンマ基準電圧のうち、いずれか一つに応答して前記データ電流を発生させる段階を含むことを特徴とする請求項１０記載の表示装置のデータドライバ駆動方法。
【請求項１４】
前記Ｍ個のガンマ基準電圧から一つを選択する段階は、
ガンマ基準電圧選択信号を発生させるために前記カラー信号をデコーディングする段階と、
前記選択されたＭ個のガンマ基準電圧のうち、一つを出力ノードに連結させるために、前記ガンマ基準電圧選択信号に応答して前記Ｍ個のガンマ基準電圧とそれぞれ相応するＭ個のスイッチのうち、いずれか一つを駆動させる段階と、を含むことを特徴とする請求項１３記載の表示装置のデータドライバ駆動方法。
【請求項１５】
前記データ電流を発生させる段階は、
前記選択されたＭ個のガンマ基準電圧から一つを用いて、前記出力ノードに連結されたデータ電流トランジスタを駆動させる段階と、を含むことを特徴とする請求項１４記載の表示装置のデータドライバ駆動方法。
【請求項１６】
クランプ回路を用いて前記データ電流を制限する段階を更に含むことを特徴とする請求項１５記載の表示装置のデータドライバ駆動方法。
【請求項１７】
前記Ｍ個のガンマ基準電流のそれぞれに基づいてＭ個のガンマ基準電圧を追加に発生させる段階は、
前記Ｍ個のガンマ基準電流のそれぞれに応答して前記Ｍ個のガンマ基準電圧を発生させるために、Ｍ個の電流−電圧変換回路を用いる段階と、を含むことを特徴とする請求項１３記載の表示装置のデータドライバ駆動方法。
【請求項１８】
Ｌ個の階調基準電流を発生させる段階と、
ガンマ信号に応答して前記Ｌ個の階調基準電流からＭ個のガンマ基準電流を選択する段階と、
複数のデータラインのそれぞれに対して、カラー信号に応答して前記Ｍ個のガンマ基準電流から一つを選択する段階と、
前記複数のデータラインそれぞれに対し、前記選択されたＭ個のガンマ基準電流のうち、いずれか一つに応答してデータ電流を発生させる段階と、
前記複数のデータラインからの一つと複数のスキャンラインからの一つによってそれぞれ決定される複数の画素を選択するために複数のスキャンラインを駆動する段階と、を含むことを特徴とする表示装置のデータドライバ駆動方法。
【請求項１９】
ゼロ階調レベルでない値に相応するＬ個の階調基準電流を発生させる基準電流発生部と、
ガンマ信号に応答して前記Ｌ個の階調基準電流からＭ個のガンマ基準電流を選択するガンマ選択モジュールと、
ゼロ階調レベルガンマ基準電圧を発生させるガンマ電圧発生部と、
カラー信号に応答してＭ個のガンマ基準電流から選択された一つまたはゼロ階調レベルガンマ基準電圧に応答してデータ電流を発生させるデータ電流発生部と、を含むことを特徴とする表示装置のデータドライバ。
【請求項２０】
前記ガンマ選択モジュールは、
前記ガンマ信号に応答してガンマ電流選択信号を発生させるデコーダと、
前記ガンマ電流選択信号に応答してＭ個のガンマ基準電流をそれぞれ選択するＭ個のガンマ選択スイッチと、を含むことを特徴とする請求項１９記載の表示装置のデータドライバ。
【請求項２１】
前記基準電流発生部は、Ｌ個の互いに異なる幅を有するトランジスタで構成された電流ミラーを含むことを特徴とする請求項１９記載の表示装置のデータドライバ。
【請求項２２】
Ｍ個のガンマ基準電流それぞれに基づいてＭ個の付加ガンマ基準電圧を発生させるＭ個の電流−電圧変換回路を更に含み、
前記データ電流発生部は、前記カラー信号に応答してＭ＋１個のガンマ基準電圧から一つを選択するガンマ基準電圧選択部及び前記選択されたＭ＋１個のガンマ基準電圧からの一つに応答して前記データ電流を発生させる電圧−電流変換回路を含むことを特徴とする請求項１９記載の表示装置のデータドライバ。
【請求項２３】
前記ガンマ電圧選択部は、
前記カラー信号に応答してガンマ基準電圧選択信号を発生させるデコーダと、
前記Ｍ＋１個のガンマ基準電圧とそれぞれ相応し、前記ガンマ基準電圧選択信号に応答して前記Ｍ＋１個のガンマ基準電圧からの一つを出力ノードと連結させるＭ＋１個のスイッチを含むことを特徴とする請求項２２記載の表示装置のデータドライバ。
【請求項２４】
前記電圧−電流変換回路は、
前記出力ノードで連結されたデータ電流トランジスタを含むことを特徴とする請求項２３記載の表示装置のデータドライバ。
【請求項２５】
前記データ電流トランジスタと出力基準端子との間に連結されたクランプ回路を更に含むことを特徴とする請求項２４記載の表示装置のデータドライバ。
【請求項２６】
ゼロ階調レベルでない値に相当するＬ個の階調基準電流を発生させる基準電流発生部と、
ガンマ信号に応答してＬ個の階調基準電流からＭ個のガンマ基準電流を選択するガンマ選択モジュールと、
ゼロ階調レベルガンマ基準電圧を発生させるガンマ電圧発生部と、
複数のデータラインと相応し、カラー信号に応答して前記選択されたＭ個のガンマ基準電流から一つまたはゼロ階調レベル基準電圧に応答するデータ電流をそれぞれ発生させる複数のデータ電流発生部と、
前記複数のデータラインからの一つと複数のスキャンラインからの一つによってそれぞれ決定される複数の画素を選択するために前記複数のスキャンラインを駆動するスキャンドライバと、を含むことを特徴とする表示装置。
【請求項２７】
Ｌ個の階調基準電流を発生させる基準電流発生部と、
ガンマ信号に応答してＬ個の階調基準電流からＭ個のガンマ基準電流を選択するガンマ選択モジュールと、
カラー信号に応答してＭ個のガンマ基準電流から選択された一つに応答するデータ電流を発生させる複数のデータ電流発生部と、を含むことを特徴とする表示装置のデータドライバ。
【請求項２８】
前記ガンマ選択モジュールは、
前記カラー信号に応答してガンマ電流選択信号を発生させるデコーダと、
前記ガンマ電流選択信号に応答して前記Ｍ個のガンマ基準電流をそれぞれ選択するＭ個のガンマ選択スイッチと、を含むことを特徴とする請求項２７記載の表示装置のデータドライバ。
【請求項２９】
前記基準電流発生部は、
前記Ｌ個の階調基準電流それぞれを発生させるためのＬ個の互いに異なる幅を有するトランジスタで構成された電流ミラーを含むことを特徴とする請求項２７記載の表示装置のデータドライバ。
【請求項３０】
前記Ｍ個のガンマ基準電流それぞれに基づいてＭ個のガンマ基準電圧を発生させるＭ個の電流−電圧変換回路を更に含み、
前記データ電流発生部は、
前記カラー信号に応答してＭ個のガンマ基準電圧から一つを選択するガンマ電圧選択部と、
前記選択されたＭ個のガンマ基準電圧の一つに応答して前記データ電流を発生させる電圧−電流変換回路と、を含むことを特徴とする請求項２７記載の表示装置のデータドライバ。
【請求項３１】
前記ガンマ電圧選択部は、
前記カラー信号に応答してガンマ基準電圧選択信号を発生させるデコーダと、
前記Ｍ個の基準電圧とそれぞれ相応し、前記ガンマ基準電圧選択信号に応答して前記Ｍ個のガンマ基準電圧のうち、いずれか一つを出力ノードに連結するＭ個のスイッチを含むことを特徴とする請求項３０記載の表示装置のデータドライバ。
【請求項３２】
前記電圧−電流変換回路は、
前記出力ノードで連結されたデータ電流トランジスタを含むことを特徴とする請求項３１記載の表示装置のデータドライバ。
【請求項３３】
前記データ電流トランジスタと出力基準端子との間に連結されたクラップ回路を更に含むことを特徴とする請求項３２記載の表示装置のデータドライバ。
【請求項３４】
Ｌ個の階調基準電流を発生させる基準電流発生部と、
ガンマ信号に応答してＬ個の階調基準電流からＭ個のガンマ基準電流を選択するガンマ選択モジュールと、
複数のデータラインと相応し、カラー信号に応答して前記Ｍ個のガンマ基準電流から選択された一つに応答してデータ電流をそれぞれ発生させる複数のデータ電流発生部と、
前記複数のデータラインの一つと複数のスキャンラインの一つによってそれぞれ決定される複数の画素を選択するために前記複数のスキャンラインを駆動するスキャンドライバと、を含むことを特徴とする表示装置。
【発明の詳細な説明】
【技術分野】
【０００１】
本発明は集積回路装置に関わり、より詳細には表示装置のデータドライバ回路と駆動方法に関する。
【背景技術】
【０００２】
有機発光ダイオード（Ｏｒｇａｎｉｃ  Ｌｉｇｈｔ  Ｅｍｉｔｔｉｎｇ  Ｄｉｏｄｅ、ＯＬＥＤ）表示装置は、装置の電流と輝度とに線形性が優秀であるので、装置に流れる電流を制御して輝度を調節しやすい。一般的に、ＯＬＥＤ表示装置は、その駆動方式によって能動マトリクス方式と受動マトリクス方式に分ける。能動マトリクス方式は、素子の電圧や電流を調節して輝度を調節する。受動マトリクス方式は、駆動信号のデューティレシオを調節して輝度を調節する。画像データは、光の強度に比例するが、画像表示装置は、典型的に入力画像データ（階調入力）と出力輝度との間に非線形的な関係を有する。一般的に多くの表示装置にて階調入力と出力される輝度とのグラフは指数関数の曲線を有し、このような曲線の指数値をガンマという。ガンマ値が間違って設定されると、表示される画像に歪曲が発生し、画像品質が低下するようになる。互いに異なる画像表示装置は、表示される画像の品質を最適化するために適用される最適ガンマ値がそれぞれ異なるようにすることができる。ＯＬＥＤ表示装置で駆動回路は、駆動トランジスタの駆動電流を調節する。
【０００３】
液晶表示装置やプラズマディスプレイパネルなどの表示装置おいて、表示画像の良好な階調を実現するガンマ補正回路が特許文献１に開示している。
図１は、従来のガンマ補正のための表示装置のデータドライバ回路のブロック図である。
【０００４】
データドライバ回路２０は、制御部２１、ルックアップテーブル２２及び複数のデジタルアナログ変換部（ＤＡＣ）２３を含む。ルックアップテーブル２２は、各ピクセルの赤色（Ｒ）、青色（Ｂ）、及び緑色（Ｂ）の色強度に対する補正されたガンマ値を含む。制御部２１は、外部制御部２５からビデオデータまたはカラーデータ２７とルックアップテーブルセッティング命令語２９を受信し、前記ルックアップテーブル２２から８ビットのガンマ補正された階調データ２６の伝送を受ける。２６０Ｋカラーを具現するためには、Ｒ、Ｇ、Ｂにそれぞれ６ビットのカラーデータが割り当てられる。制御部２１は、外部制御部２５から６ビットのカラーデータ２７と８ビットのルックアップテーブルセッティング命令２９の入力を受け、６ビットのカラーデータ２４を前記ルックアップテーブル２２の入力に提供する。これに応答して前記ルックアップテーブル２２は、ガンマ補正された８ビットの階調データ２６を前記制御部２１に再び出力する。８ビットの階調データ２６は、６ビットのカラーデータ２４をガンマ補正し、２ビットのダミービットを追加して生成されたものである。８ビットの階調データ２８は、ＤＡＣ２３に供給され、ＤＡＣ２３はこれに応答してデータ電流（ＩＤＡＴＡ）を発生させる。
【０００５】
このようなルックアップテーブル２２とＤＡＣ２３は、広いチップ面積を占め、８ビット階調データ２６を用いながら追加される２ビットのダミービットによって回路具現が複雑になる。また、システムノイズを対比して定期的にルックアップテーブルに含まれたマッピングデータのリフラッシュが必要である。
【特許文献１】日本公開特許平１１−２８８２４１号明細書
【発明の開示】
【発明が解決しようとする課題】
【０００６】
本発明の第１目的は、ガンマ補正時、データドライバのチップサイズを減少させることができる表示装置の電流駆動データドライバを提供することにある。
【０００７】
本発明の第２目的は、前記データドライバを有する表示装置を提供することにある。
【０００８】
本発明の第３目的は、前記データドライバを用いたデータライン駆動方法を提供することにある。
【課題を解決するための手段】
【０００９】
本発明の一実施例による表示装置のデータドライバの駆動方法は、ゼロ階調レベルでない値に相応するＬ個の階調基準電流を発生させる段階と、ガンマ信号に応答して前記Ｌ個の階調基準電流からＭ個のガンマ基準電流を選択する段階と、ゼロ階調レベルガンマ基準電圧を発生する段階と、カラー信号に応答して、前記Ｍ個の階調基準電流から一つを選択するかまたは前記ゼロレベルガンマ基準電圧を選択する段階と、前記選択されたＭ個の階調基準電流から一つまたはゼロ階調レベルガンマ基準電圧に応答してデータ電流を発生させる段階と、を含む。
【００１０】
実施例で、前記Ｍ個のガンマ基準電流を選択する段階は、ガンマ電流選択信号を発生させるために、前記ガンマ信号をデコーディングする段階と、前記ガンマ電流選択信号に応答して前記Ｍ個のガンマ基準電流をそれぞれ選択するＭ個のガンマ選択スイッチを駆動する段階と、を含むことができる。
【００１１】
実施例で、前記Ｌ個の階調基準電流を発生させる段階は、Ｌ個の互いに異なる幅を有するトランジスタで構成された電流ミラーを用いる段階を含むことができる。
【００１２】
実施例で、前記Ｍ個の階調基準電流から一つまたはゼロ階調レベルガンマ基準電圧を選択する段階は、前記Ｍ個の付加ガンマ基準電流それぞれに基づいてＭ個のガンマ基準電圧を発生させる段階と、前記カラー信号に応答して前記Ｍ＋１個のガンマ基準電圧から一つを選択する段階を含み、前記データ電流を発生させる段階は、前記選択されたＮ＋１個のガンマ基準電圧のうち、いずれか一つに応答して前記データ電流を発生させることができる。
【００１３】
実施例で、前記Ｍ＋１個のガンマ基準電圧から一つを選択する段階は、ガンマ基準電圧選択信号を発生させるために前記カラー信号をデコーディングする段階と、前記選択されたＭ＋１個のガンマ基準電圧から一つを出力ノードに連結させるために、前記ガンマ基準電圧選択信号に応答して前記Ｍ＋１個のガンマ基準電圧とそれぞれ相応するＭ＋１個のスイッチから一つを駆動させる段階と、を含むことができる。
【００１４】
実施例で、前記データ電流を発生させる段階は、前記選択されたＭ＋１個のガンマ基準電圧から一つを用いて、前記出力ノードに連結されたデータ電流トランジスタを駆動させる段階と、を含むことができ、クランプ回路を用いて前記データ電流を制限する段階を更に含むこともできる。
【００１５】
実施例で、前記Ｍ個のガンマ基準電流のそれぞれに基づいてＭ個の付加ガンマ基準電圧を発生させる段階は、前記Ｍ個のガンマ基準電流のそれぞれに応答して前記Ｍ個のガンマ基準電圧を追加発生させるためにＭ個の電流−電圧変換回路を用いる段階、を含むことができる。
【００１６】
本発明の他の一実施例による表示装置のデータドライバの駆動方法は、ゼロ階調レベルでない値に相応するＬ個の階調基準電流を発生させる段階と、ガンマ信号に応答して前記Ｌ個の階調基準電流からＭ個のガンマ基準電流を選択する段階と、ゼロ階調レベルガンマ基準電圧を発生する段階とを含む。複数のデータラインのそれぞれに対して、カラー信号に応答して前記Ｍ個のガンマ基準電流から一つを選択するかまたは前記ゼロ階調レベルガンマ基準電圧を選択する段階と、前記選択されたＭ個のガンマ基準電流から一つまたは前記ゼロ階調レベルガンマ基準電圧に応答してデータ電流を発生させる段階とを含む。なお、前記複数のデータラインからの一つと複数のスキャンラインからの一つによってそれぞれ決定される複数の画素を選択するために前記複数のスキャンラインを駆動する段階と、を更に含む。
【００１７】
本発明の他の実施例による表示装置のデータドライバの駆動方法は、Ｌ個の階調基準電流を発生させる段階と、ガンマ信号に応答して前記Ｌ個の階調基準電流からＭ個のガンマ基準電流を選択する段階と、カラー信号に応答して前記Ｍ個の階調基準電流のうち、いずれか一つに応答してデータ電流を発生させる段階と、を含む。
【００１８】
実施例で、前記Ｍ個のガンマ基準電流を選択する段階は、ガンマ電流選択信号を発生させるために、前記ガンマ信号をデコーディングする段階と、前記ガンマ電流選択信号に応答して前記Ｍ個のガンマ基準電流をそれぞれ選択するＭ個のガンマ選択スイッチを駆動する段階と、を含むことができる。
【００１９】
実施例で、前記Ｌ個の階調基準電流を発生させる段階は、Ｌ個の互いに異なる幅を有するトランジスタで構成された電流ミラーを用いる段階を含むことができる。
【００２０】
実施例で、前記Ｍ個の階調基準電流から一つを選択する段階は、前記Ｍ個のガンマ基準電流それぞれに基づいてＭ個のガンマ基準電圧を発生させる段階と、前記カラー信号に応答して前記Ｍ個のガンマ基準電圧から一つを選択する段階を含み、前記データ電流を発生させる段階では、前記選択されたＭ個のガンマ基準電圧のうち、いずれか一つに応答して前記データ電流を発生させる段階を含むことができる。
【００２１】
実施例で、前記Ｍ個のガンマ基準電圧から一つを選択する段階は、
ガンマ基準電圧選択信号を発生させるために前記カラー信号をデコーディングする段階と、前記選択されたＭ個のガンマ基準電圧のうち、いずれか一つを出力ノードに連結させるために、前記ガンマ基準電圧選択信号に応答して前記Ｍ個のガンマ基準電圧とそれぞれ相応するＭ個のスイッチのうち、いずれか一つを駆動させる段階と、を含むことができる。
【００２２】
実施例で、前記データ電流を発生させる段階は、前記選択されたＭ個のガンマ基準電圧から一つを用いて、前記出力ノードに連結されたデータ電流トランジスタを駆動させる段階を含むことができる。
【００２３】
実施例で、クランプ回路を用いて前記データ電流を制限する段階を更に含むこともできる。
【００２４】
実施例で、前記Ｍ個のガンマ基準電流のそれぞれに基づいてＭ個のガンマ基準電圧を追加に発生させる段階は、前記Ｍ個のガンマ基準電流のそれぞれに応答して前記Ｍ個のガンマ基準電圧を発生させるために、Ｍ個の電流−電圧変換回路を用いる段階を含むことができる。
【００２５】
本発明の他の実施例による表示装置のデータドライバの駆動方法は、Ｌ個の階調基準電流を発生させる段階と、ガンマ信号に応答して前記Ｌ個の階調基準電流からＭ個のガンマ基準電流を選択する段階と、を含む。複数のデータラインのそれぞれに対して、カラー信号に応答して前記Ｍ個のガンマ基準電流から一つを選択する段階と、前記選択されたＭ個のガンマ基準電流のうち、いずれか一つに応答してデータ電流を発生させる段階を含む。なお、前記複数のデータラインからの一つと複数のスキャンラインからの一つによってそれぞれ決定される複数の画素を選択するために前記複数のスキャンラインを駆動する段階、を更に含む。
【００２６】
本発明の更に他の実施例による表示装置のデータドライバは、ゼロ階調レベルでない値に相応するＬ個の階調基準電流を発生させる基準電流発生部と、ガンマ信号に応答して前記Ｌ個の階調基準電流からＭ個のガンマ基準電流を選択するガンマ選択モジュールと、ゼロ階調レベルガンマ基準電圧を発生させるガンマ電圧発生部と、カラー信号に応答してＭ個のガンマ基準電流から選択された一つまたはゼロ階調レベルガンマ基準電圧に応答してデータ電流を発生させるデータ電流発生部と、を含む。
【００２７】
実施例で、前記ガンマ選択モジュールは、前記ガンマ信号に応答してガンマ電流選択信号を発生させるデコーダと、前記ガンマ電流選択信号に応答してＭ個のガンマ基準電流をそれぞれ選択するＭ個のガンマ選択スイッチと、を含むことができる。
【００２８】
実施例で、前記基準電流発生部は、Ｌ個の互いに異なる幅を有するトランジスタで構成された電流ミラーを含むことができる。
実施例で、Ｍ個のガンマ基準電流それぞれに基づいてＭ個の付加ガンマ基準電圧を発生させるＭ個の電流−電圧変換回路を更に含むことができ、前記データ電流発生部は、前記カラー信号に応答してＭ＋１個のガンマ基準電圧から一つの信号を選択するガンマ基準電圧選択部及び前記選択されたＭ＋１個のガンマ基準電圧のうち、いずれか一つに応答して前記データ電流を発生させる電圧−電流変換回路を含むことができる。
【００２９】
本発明の更に他の実施例による表示装置は、ゼロ階調レベルでない値に相当するＬ個の階調基準電流を発生させる基準電流発生部と、ガンマ信号に応答してＬ個の階調基準電流からＭ個のガンマ基準電流を選択するガンマ選択モジュールと、ゼロ階調レベルガンマ基準電圧を発生させるガンマ電圧発生部と、カラー信号に応答して前記選択されたＭ個のガンマ基準電流から一つまたはゼロ階調レベル基準電圧に応答するデータ電流を発生させ、複数のデータラインと相応する複数のデータ電流発生部と、前記複数のデータラインからの一つと複数のスキャンラインからの一つによってそれぞれ決定される複数の画素を選択するために前記複数のスキャンラインを駆動するスキャンドライバと、を含む。
【００３０】
本発明の更に他の一実施例による表示装置のデータドライバは、Ｌ個の階調基準電流を発生させる基準電流発生部と、ガンマ信号に応答してＬ個の階調基準電流からＭ個のガンマ基準電流を選択するガンマ選択モジュールと、カラー信号に応答して前記選択されたＭ個のガンマ基準電流から選択された一つに応答するデータ電流を発生させる複数のデータ電流発生部と、を含む。
【００３１】
実施例で、前記ガンマ選択モジュールは、前記カラー信号に応答してガンマ電流選択信号を発生させるデコーダと、前記ガンマ電流選択信号に応答して前記Ｍ個のガンマ基準電流をそれぞれ選択するＭ個のガンマ選択スイッチと、を含むことができる。
【００３２】
実施例で、前記基準電流発生部は、前記Ｌ個の階調基準電流それぞれを発生させるためのＬ個の互いに異なる幅を有するトランジスタで構成された電流ミラーを含むことができる。
【００３３】
実施例で、前記Ｍ個のガンマ基準電流それぞれに基づいてＭ個のガンマ基準電圧を発生させるＭ個の電流−電圧変換回路を更に含み、
前記データ電流発生部は、前記カラー信号に応答してＭ個のガンマ基準電圧から一つを選択するガンマ電圧選択部と、前記選択されたＭ個のガンマ基準電圧の一つに応答して前記データ電流を発生させる電圧−電流変換回路と、を含むことができる。
【００３４】
実施例で、前記ガンマ電圧選択部は、前記カラー信号に応答してガンマ基準電圧選択信号を発生させるデコーダと、前記Ｍ個の基準電圧とそれぞれ相応し、前記ガンマ基準電圧選択信号に応答して前記Ｍ個のガンマ基準電圧のうち、一つを出力ノードに連結するＭ個のスイッチを含むことができる。
【００３５】
実施例で、前記電圧−電流変換回路は、前記出力ノードで連結されたデータ電流トランジスタを含むことができる。
実施例で、前記データ電流トランジスタと出力基準端子との間に連結されたクラップ回路を更に含むことができる。
【００３６】
本発明の更に他の実施例による表示装置は、Ｌ個の階調基準電流を発生させる基準電流発生部と、ガンマ信号に応答してＬ個の階調基準電流からＭ個のガンマ基準電流を選択するガンマ選択モジュールと、複数のデータラインと相応し、カラー信号に応答して前記Ｍ個のガンマ基準電流から選択された一つに応答してデータ電流をそれぞれ発生させる複数のデータ電流発生部と、前記複数のデータラインからの一つと複数のスキャンラインからの一つによってそれぞれ決定される複数の画素を選択するために前記複数のスキャンラインを駆動する段階を更に含む。
【発明を実施するための最良の形態】
【００３７】
以下、添付した図面を参照して、本発明の望ましい実施例をより詳細に説明する。図面上の同一の構成要素に対しては同一の参照符号を用い、同一の構成要素に対して重複された説明は省略する。
【００３８】
本発明の一実施例は、ルックアップテープルの必要なしに６ビットのカラーデータ信号を用いて８ビットの階調カラーデータを選択可能にすることから由来する。結果的に、チップの面積を増加させず、かつ、表示装置を駆動するために８ビットの階調カラー信号を用いることのような更に密な階調表現を可能とする。
【００３９】
図２を参照すると、本発明の一実施例によるデータドライバ回路３００は、階調データ３５５と階調ガンマ電圧４５３に応答してデータ電流（ＩＤＡＴＡ）を発生させる複数のデータ電流発生部５００を含む。前記データドライバ回路３００は、ガンマ選択信号に応答して複数のガンマ基準電流を選択するガンマセッティング部４００を含む。ガンマ基準電流は、階調ガンマ基準電圧に変換される。階調ガンマ基準電圧は、カラー信号に応答して出力として選択することができる。
【００４０】
図２に示したように、前記データドライバ回路３００は、外部制御部３５０からＱビットのカラーデータ３５１及びガンマセッティング命令３５３の入力を受ける制御部３１０を含む。２１８カラーを再現する場合、赤色／緑色／青色それぞれ６ビットのカラー信号３５１を用いることができ、２２４のカラーを再現する場合、赤色／緑色／青色それぞれ８ビットのカラー信号３５１を用いることができる。
【００４１】
前記制御部３１０は、ガンマ選択信号３１２を発生させるために、前記ガンマセッティング命令３５３を用い、ガンマ選択信号３１２は、ガンマセッティング部４００に提供される。例えば、前記ガンマセッティング命令３５３は、使用者が予め選択したガンマ値を選択するために用いることができる。ガンマ選択信号３１２は、２Ｎ個の可能なガンマ値のうち、一つの値を選択するためにＮビットからなることができる。
【００４２】
前記ガンマセッティング部４００は、ガンマ選択回路４１０、電流−電圧変換回路４４０、及び階調ガンマ電圧発生部４５０を含む。ガンマ選択回路４１０は、Ｌ個の階調基準電流４２２を生成し、前記ガンマ選択信号３１２に応答して前記Ｌ個の階調基準電流のうち、Ｍ個をガンマ基準電流４３２として選択する。例えば、階調基準電流が８ビットの階調レベルを有する場合、Ｌは２５５になってもよい。
【００４３】
前記データドライバ３００はＫ個のガンマ曲線を提供し、各ガンマ曲線は、他の階調レベルと相応するＭ個のガンマ基準電流を有する。即ち、前記データドライバ３００は、Ｋ個のガンマ曲線群を提供する。例えば、Ｋが１０である場合、１０個のガンマ曲線があり、ガンマ選択信号３１２に応答して、そのうち一つのガンマ基準電流群が選択される。したがって、ガンマ選択信号３１２に少なくとも４ビット（ここで、２Ｎ＞Ｋ）が用いられる。一実施例で、更に密なＭ個の階調基準電流を生成するためにＬはＭより大きい値を有する。例えば、Ｌが２５５であると、総２５６階調レベルに相応する階調基準電流を提供することができ、Ｌが５１１であると、総５１２階調レベルに相応する階調基準電流を提供することができる。
【００４４】
前記ガンマセッティング部４００は、ガンマ選択回路４１０、電流−電圧変換回路４４０、及び階調ガンマ電圧発生部４５０を含む。前記電流−電圧変換回路４４０は、前記ガンマ選択回路４１０から出力されたＭ個のガンマ基準電流４３２をＭ個の階調ガンマ電圧４４２に変換する。前記階調ガンマ電圧発生部４５０は、前記Ｍ個のガンマ電圧４４２に応答してＭ＋１個の階調ガンマ電圧４５３を発生させる。前記Ｍ＋１個の階調ガンマ電圧は、前記Ｍ個のガンマ電圧４４２とゼロ階調レベルガンマ基準電圧に基づくことができる。前記データ電流発生部５００は、ビデオ／カラーデータ信号３５５に応答して前記Ｍ＋１個の階調ガンマ電圧から一つを選択し、選択された階調ガンマ電圧に応答してデータ電流（ＩＤＡＴＡ）を発生させる。
【００４５】
図３は、本発明の一実施例によるガンマセッティング部４００を示したブロック図である。前記ガンマセッティング部４００は、ガンマ選択回路４１０、電流−電圧変換回路４４０、及び階調ガンマ電圧発生部４５０を含む。前記ガンマ選択回路４１０は、基準電流源発生部４１１、基準電流スイッチ４１２、基準電流発生部４２０、 及びガンマ選択部４３０を含み、図面のように連結される。前記基準電流源発生部４１１は、基準電流（ＩＲＥＦ）を生成し、前記基準電流発生部４２０に前記基準電流（ＩＲＥＦ）を供給する。一実施例で、前記ガンマセッティング部４００は、Ｒ、Ｇ、Ｂ階調基準電圧を提供するか、共通階調基準電圧を提供する階調基準電圧発生部４０１を更に含むことができる。階調基準電圧がＲ、Ｇ、Ｂごとに独立的に提供される場合には、前記基準電流源発生部４１１と、前記階調基準電流発生部４２０との間に基準電流スイッチ４１２を介在して、Ｒ、Ｇ、Ｂのうち、一つに相応する階調基準電圧を選択することができる。図３に示したように、階調基準電圧は、静電圧（ＶＲＥＧ）と電圧分配回路を用いて発生させることができる。前記階調基準電流発生部４２０は、前記基準電流（ＩＲＥＦ）に応答してＬ個の階調基準電流４２２を生成する。前記ガンマ選択部４３０は、Ｌ個の階調基準電流４２２とＮビットのガンマ選択信号３１２に応答してＭ個のガンマ基準電流４３２を出力する。前記電流−電圧変換回路４４０は、前記Ｍ個のガンマ基準電流４３２に応答してＭ個のガンマ電圧４４２を生成する。一実施例で、前記電流−電圧変換回路４４０は、飽和モードで動作し、ドレイン電流によってゲートソース電圧が決められるように構成されたＭ個のＭＯＳトランジスタ４４１を含むことができる。前記階調ガンマ電圧発生部４５０は、Ｒ、Ｇ、Ｂそれぞれに対して前記電流電圧変換回路４４０から出力されたＭ個のガンマ電圧４４２とゼロ階調レベルガンマ電圧４４３の入力を受け、マルチフレックサー（ＭＵＸ）と電圧バッファを用いてＭ＋１個の階調ガンマ電圧４５３を生成する。前記ゼロ階調レベルガンマ電圧は実質的に接地電圧であるか共通基準電圧であってもよい。
【００４６】
図４は、本発明の一実施例による基準電流発生部４２０を概略的に示す図である。前記基準電流発生部４２０は、入力トランジスタ４２１とＬ個のミラリングトランジスタ（ＰＭ１〜ＰＭ２５５）を含む電流ミラーに具現することができる。本発明の多様な実施例によると、前記ミラリングトランジスタは、ＰＭＯＳまたはＮＭＯＳトランジスタに具現することができる。電流（Ｉ１）は、最も暗い階調レベル（０  ｇｒａｙ  ｌｅｖｅｌ）より一レベル明るい段階に該当する電流であり、電流（Ｉ２５５）は、最も明るい階調レベルに該当する電流である。それぞれ異なる電流を生成するために前記ミラリングトランジスタ（ＰＭ１〜ＰＭ２５５）は、それぞれ異なる幅を有することができる。
【００４７】
図５のグラフは、２５６段階の階調基準電流（Ｌ＝２５５）、６４段階のガンマ基準電流（Ｍ＝６３）及び１０個のガンマ曲線（Ｋ＝１０）を有する場合のガンマ補正曲線を例示したものである。前記グラフにおいて、ガンマ値は０．４〜０．２ずつ増加する。このようにすることで６ビットのカラーデータ信号で実質的に８ビットの階調レベルを近似に表現することができる。即ち、６ビットのカラーデータ信号に基づいて８ビットの階調レベルを選択することで、更に密な階調表現が可能である。下記の表１は、２８番目の階調レベルに該当する階調基準電流を示す。
【００４８】
【表１】
2007052414.tif 000003
図６は、本発明の一実施例によるガンマ選択部４３０を概略的に示す。前記ガンマ選択部４３０は、スイッチ回路４３５を含み、前記スイッチ回路４３５は、Ｍが６３である場合、６３個のスイッチブロック（４３３−１〜４３３−６３）を含む。前記各スイッチ段はＫが１０である場合、１０個のスイッチ（ＳＷ０〜ＳＷ９）を含むことができる。前記スイッチ（ＳＷ０〜ＳＷ９）は、基準電流発生部４２０のミラリングトランジスタ（ＰＭ１〜ＰＭ２５５）のうち、いずれか一つに連結されている。Ｎビットのガンマ選択信号３１２によっていずれか一つのスイッチのみオンされ、他のスイッチはオフされるように制御される。２８番目の階調レベルに該当するスイッチブロック（４３３−２８）内の１０個のスイッチ（ＳＷ０〜ＳＷ９）は、ミラリングトランジスタＰＭ１８０、ＰＭ１５８、ＰＭ１３６、ＰＭ１２０、ＰＭ１０５、ＰＭ９２、ＰＭ７８、ＰＭ６７、ＰＭ５９、及びＰＭ５０とそれぞれ連結することができる。もし選択されたガンマが２．０（９番目のガンマ）であると、ガンマ選択信号（ＳＥＬ８）が入力され、９番目のスイッチ（ＳＷ８）がオンされ、５９番目の階調基準電流（Ｉ５９）が前記２８番目の階調レベルに相応するガンマ電流（ＩＧ２８）に出力される。もし選択されたガンマが２．０（９番目のガンマ）であると、ガンマ選択信号（ＳＥＬ８）に応答する６３個のスイッチがオンされ、６３個のガンマ電流（ＩＧ１〜ＩＧ６３）が出力される。前記６３個のガンマ電流をガンマ電流群といい、ガンマ電流群は、前記Ｎビットガンマ選択信号３１２によって選択される。
【００４９】
図７は、本発明の一実施例によるガンマ選択部４３０を示したブロック図である。ガンマ選択部４３０は、デコーダ４３１及びスイッチ回路４３３を含んでいる。前記デコーダ４３１は、ガンマ選択信号３１２をデコーディングしてスイッチ選択信号３１４を出力する。一実施例で、デコーダ４３１は、ジマルチフレックサーなどの回路としても具現可能である。前記スイッチ（ＳＷ０〜ＳＷ９）は、前記Ｍ個のミラリングトランジスタに連結される。もしＩ番目のガンマ電流群が選択されると、該当するスイッチがオンされ、Ｉ番目のガンＩ番目のガンマ電流群と相応する電流が一度に出力される。この実施例では、ゼロ階調レベルに相応するガンマ基準電流は発生しない。
【００５０】
図８は、本発明の一実施例によるデータドライバ回路３００ａのブロック図である。
図８のデータドライバ回路３００ａは、ガンマ選択回路４１０ａ、基準電流発生部４２０ａ、ガンマ選択部４３０ａがＬ＋１個の階調基準電流４２２ａとＭ＋１個のガンマ基準電流４３２ａを発生させることに関与する点を除いては、図２と図３のデータドライバ回路３００と動作が類似である。前記Ｌ＋１個の階調基準電流４２２ａには、ゼロ階調基準レベルに相応する電流が含まれ、前記Ｍ＋１個のガンマ基準電流４３２ａには、ゼロ階調基準レベルに相応する電流が含まれる。したがって、Ｌが２６５である場合には、２５６個の階調基準電流４２２ａが生成され、Ｍが６３である場合には６４個のガンマ基準電流４３２ａが生成される。
【００５１】
図９は、本発明の一実施例によるガンマ選択部４３０ａのブロック図である。前記ガンマ選択部４３０ａは、スイッチ回路４３５ａが６４個のスイッチブロック（４３３−１〜４３３−６４）を含む点を除くと、６３個のスイッチブロック（４３３−１〜４３３−６３）を有する図７のガンマ選択部４３０と類似である。追加したスイッチ部はゼロ基準レベルに相応する。
【００５２】
図１０は、データ電流出力部５００を概略的に示した図である。前記データ電流出力部５００は、図面に示したように連結された階調ガンマ電圧選択部５１０、電圧−電流変換部５２０、及び出力ノード５４０を含む。前記階調ガンマ電圧選択部５１０は、デコーダ５１１とＭ＋１個のスイッチ５１２を含む。前記デコーダ５１１は、前記制御部３１０から前記Ｑビットの階調データ３５５の提供を受ける。スイッチ５１２は、階調データカラー信号３５５に応答してＭ＋１個の階調ガンマ電圧４５３から一つを選択する。電圧−電流変換部５２０は、階調ガンマ電圧選択部５１０の出力によってドレイン電流が調節される駆動トランジスタである。前記ドレイン電流は、データ電流（ＩＤＡＴＡ）に出力される。実施例によって、前記電圧−電流変換部５２０は、クランプ信号に基づいてデータラインにデータ電流（ＩＤＡＴＡ）の電流レベルを制限するためのクランプ回路５３０と連結することができる。
【００５３】
図１１は、本発明の実施例によるデータドライバを含む表示装置のブロック図である。前記表示装置は、画素領域１００、スキャンドライバ２００、及びデータドライバ回路３００を含む。前記データドライバ回路３００は、図２乃至図１０と共に前述したように具現することができる。前記画素領域１００には、複数のＯＬＥＤ画素１５を含むことができる。前記スキャンドライバ２００は、スキャンライン（Ｓ１〜ＳＮ）にスキャン信号を提供する。前記データドライバ３００は、前述したように階調駆動電流（Ｄ１〜ＤＭ）を提供する。
【００５４】
したがって、従来のルックアップテーブルを用いたガンマ補正方式と違って、ガンマ補正のためのダミービットの追加による追加的な回路を必要としないので、出力チャンネルに連結されたＤＡＣ回路が簡単になり、全体的にデータドライバのチップサイズが減少する。特に、表示装置の大きさ及び解像度が増加することによってデータラインに連結された出力チャンネル数が増加する場合、データドライバのチップサイズの増加を防止することができる。
【００５５】
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００５６】
【図１】従来のガンマ補正のための表示装置のデータドライバ回路のブロック図である。
【図２】本発明の一実施例によるデータドライバ回路のブロック図である。
【図３】本発明の一実施例による図２のガンマセッティング部のブロック図である。
【図４】本発明の一実施例による図３の基準電流発生部の概略図である。
【図５】本発明の一実施例によって２５６個の階調基準電流、６４個のガンマ基準電流、及び１０個のガンマ曲線を有する場合によるガンマ補正曲線を示すグラフである。
【図６】本発明の一実施例による図３のガンマ選択部の概略図である。
【図７】本発明の一実施例による図３のガンマ選択部のブロック図である。
【図８】本発明の他の実施例によるデータドライバ回路のブロック図である。
【図９】本発明の他の実施例による図８のガンマ選択部のブロック図である。
【図１０】本発明の一実施例による図３と図８のデータ電流発生部の概略図である。
【図１１】本発明の一実施例によるデータドライバを含む表示装置のブロック図である。
【符号の説明】
【００５７】
３００    データドライバ回路
３１０    制御部
４００    ガンマセッティング部
４１０、４１０ａ    ガンマ選択モジュール
４２０、４２０ａ    基準電流発生部
４３０、４３０ａ    ガンマ選択部
４４０    電流−電圧変換回路
４５０、５１０    階調ガンマ電圧発生部
４３３−１、４３３−２、…、４３３−６３    スイッチ
４３５    スイッチブロック
５００    データ電流発生部
【図１】
2007052414.tif 000004
【図２】
2007052414.tif 000005
【図３】
2007052414.tif 000006
【図４】
2007052414.tif 000007
【図５】
2007052414.tif 000008
【図６】
2007052414.tif 000009
【図７】
2007052414.tif 000010
【図８】
2007052414.tif 000011
【図９】
2007052414.tif 000012
【図１０】
2007052414.tif 000013
【図１１】
2007052414.tif 000014